(57)【特許請求の範囲】
【請求項１】
ＤＣＦファイル構造を有する静止画像を記録媒体に記録して、各静止画像の属性によって静止画像をグルーピングする第１段階と、
前記グルーピングされた各静止画像グループに属する静止画像のファイル名を含んでいるリストを生成して記録する第２段階と、
前記静止画像グループを、デジタルビデオレコーダによるプレーアイテムの再生順序を定める再生リストファイルに含まれるプレーアイテムにそれぞれ対応付ける第３段階と
を含むことを特徴とする記録媒体の静止画像管理方法。
【請求項２】
前記静止画像グループの静止画像を前記ファイル名リスト上のファイル名記録順序によって再生する第４段階をさらに含むことを特徴とする請求項１に記載の記録媒体の静止画像管理方法。
【請求項３】
前記第４段階は、前記ファイル名リストに記録されたファイル名を有する静止画像外に同一ファイル名のオーディオデータも一緒に再生出力することを特徴とする請求項２記載の記録媒体の静止画像管理方法。
【請求項４】
静止画像グループ内における静止画像再生順序の変更の要請に応じて、そのグループに連関されたファイル名リストを複写し、その複写されたファイル名リストからファイル名記録順序を前記再生順序変更要請によって再配列する段階をさらに含むことを特徴とする請求項１に記載の記録媒体の静止画像管理方法。
【請求項５】
前記ファイル名リストには、静止画像の他にそれと同一のファイル名を有するオーディオデータファイルがある場合にも、一つのファイル名のみが記録されることを特徴とする請求項１に記載の記録媒体の静止画像管理方法。
【請求項６】
ＤＣＦファイル構造を有する静止画像が各静止画像の属性によってグルーピングされて記録媒体に記録され、このグルーピングされた各静止画像グループに属する静止画像のファイル名を含んでいるファイル名リストが生成されて記録され、前記静止画像グループが、デジタルビデオレコーダによるプレーアイテムの再生順序を定める再生リストファイルに含まれるプレーアイテムにそれぞれ対応付けられた記録媒体の静止画像管理方法であって、
前記記録媒体に記録された静止画像の削除、またはグループ間移動に対する命令を受信する第１段階と、
前記静止画像の前記ファイル名リストから前記静止画像のファイル名を削除する第２段階と、
を含むことを特徴とする記録媒体の静止画像管理方法。
【請求項７】
前記命令がグループ間移動である場合、目標グループに属する静止画像のファイル名を含むファイル名リストに移動要請された静止画像のファイル名を挿入する段階さらに含むことを特徴とする請求項６に記載の記録媒体の静止画像管理方法。
【請求項８】
ユーザの要請によって、前記ファイル名リストのファイル名記録順序を再調整する段階をさらに含むことを特徴とする請求項６に記載の記録媒体の静止画像管理方法。
【請求項９】
前記ファイル名リスト上のファイル名記録順序によって静止画像ファイルを順次に再生する３段階をさらに含むことを特徴とする請求項６に記載の記録媒体の静止画像管理方法。
【請求項１０】
前記３段階は、前記ファイル名リストに記録されたファイル名を有する静止画像の他に同一ファイル名のオーディオデータも一緒に再生出力することを特徴とする請求項９に記載の記録媒体の静止画像管理方法。
【請求項１１】
前記ファイル名リストには、静止画像の他にそれと同一のファイル名を有するオーディオデータファイルがある場合にも、一つのファイル名のみが記録されていることを特徴とする請求項６に記載の記録媒体の静止画像管理方法。
【請求項１２】
ＤＣＦファイル構造を有し、属性によってグルーピングされた複数の静止画像ファイルと、
前記静止画像ファイルの再生順序を決定するために各静止画像グループに含まれる静止画像に対するファイル名が記録された少なくとも一つのファイル名リストのデータと
を含み、
前記静止画像グループを、デジタルビデオレコーダによるプレーアイテムの再生順序を定める再生リストファイルに含まれるプレーアイテムにそれぞれ対応付けて記録する
ことを特徴とする記録媒体。
【請求項１３】
前記ファイル名リストには、静止画像の他にもそれと同一のファイル名を有するオーディオデータファイルなどがある場合にも一つのファイル名のみ記録されていることを特徴とする請求項１２に記載の記録媒体。
【発明の詳細な説明】
【０００１】
【発明の属する技術分野】
本発明は、記録媒体に記録された複数の静止画像を削除、複写、移動させる等を含む記録された画像の管理方法に関する。
【０００２】
【従来の技術】
最近では高画質の動画像ビデオデータまたは高音質のオーディオデータを長時間記録することができる大容量高密度光ディスクであるＤＶＤが開発されて市場に発表された。広く普及することが期待されている。ＤＶＤの種類には、再生専用のＤＶＤ−ＲＯＭ、１回だけ記録可能なＤＶＤ−Ｒ、そして再記録可能なＤＶＤ−ＲＡＭまたはＤＶＤ−ＲＷ（DVD-Rewritable）などがあり、ＤＶＤ−ＲＡＭまたはＤＶＤ−ＲＷ等に動画像データ及びオーディオデータを記録するための記録フォーマットに対する規格化作業が進行中にある。
【０００３】
一方、高画質の静止画像と、その静止画像に対応するデジタルオーディオデータを格納できる比較的大容量のメモリなどを装着したデジタルスチルカメラ（ＤＳＣ：Digital Still Camera）が開発されて市場に発表されている。すでに商用化されているのは周知の通りである。このときの静止画像のデータは、ＪＰＥＧ方式またはＴＩＦＦ方式のフォーマットを有し、オーディオデータは、ＰＣＭ方式またはｕ−Ｌａｗ  ＰＣＭ方式、またはＩＭＡ−ＡＤＰＣＭ方式のフォーマットを有する。
【０００４】
デジタルスチルカメラ（ＤＳＣ）により記録される静止画像データとオーディオデータは、広く知られたようにＤＣＦ（Design rule for Camera File system）方式のファイル構造を有する。ＤＣＦファイル構造は、図１に示したように、ルート（ＲＯＯＴ）ディレクトリの下の最上位にＤＣＩＭ（Digital Camera IMages）ディレクトリを有し、ＤＣＩＭディレクトリの下には、相互に重複しない３ケタの一連番号、例えば１００ないし９９９中いずれか一つと、ユーザが任意に指定できる５ケタの文字が組合された合計８ケタの名前からなる最大９００個のディレクトリを有する。
【０００５】
この８ケタの名前を有する任意のディレクトリ、例えば、図１の‘１００ＡＢＣＤＥ’ディレクトリには、ユーザが任意に指定できる４ケタの文字と、他の属性のファイルの場合には相互に重複しない４ケタの一連番号が組み合わされた合計８ケタの名前を有する複数のファイルを記録できる。このファイルは、ＪＰＥＧ方式の記録フォーマットを有する静止画像ファイル*．ＪＰＧ、ＴＩＦＦ方式の記録フォーマットを有する静止画像ファイル*．ＴＩＦ、ＰＣＭ方式、ｕ−Ｌａｗ  ＰＣＭ方式、またはＩＭＡ−ＡＤＰＣＭ方式の記録フォーマットを有するウェイブオーディオファイル*．ＷＡＶなどである。ファイルの属性が異なる場合、すなわち、拡張子が異なる場合には同一のファイル名を有することができる。これは任意の静止画像とともにオーディオをダビングする場合ファイル名を同一にすることにより相互に連係できるようにするためである。
【０００６】
一方、デジタルビデオレコーダにより記録されるビデオデータとオーディオデータは、図２に示したようなファイル構造で記録される。図２のファイル構造は、ルートディレクトリの下の最上位にＤＶＲディレクトリを有し、ＤＶＲディレクトリの下には、それぞれメニュー（Menu）データ、マーク（Mark）データを格納しているメニューファイルｍｅｎｕ．ｔｄａｔやマークファイルｍａｒｋ．ｔｄａｔが記録され、またそのメニューファイルやマークファイル内のデータを指示するためのインデックスファイルｍｅｎｕ．ｔｉｄｘ、ｍａｒｋ．ｔｉｄｘなどが含まれる。
【０００７】
さらに、ＤＶＲディレクトリの下には、タイトル管理（TitleManagement）情報、動画像プレーアイテム（PlayItem-movie）及び静止画像プレーアイテム（PlayItem-still）情報を含んでいるＰｌａｙＬｉｓｔファイル*．ｒｐｌｓ、*．ｖｐｌｓを含めて記録されるＰＬＡＹＬＩＳＴディレクトリと、動画像ストリーム管理（Movie Stream Management）及び動画像属性（Movie Attributes）情報などを含んでいるクリップ情報（Clip Information）ファイル*．ｃｌｐｉを含めて記録されるＣＬＩＰＩＮＦディレクトリと、実際の動画像ストリームファイル*．ｍ２ｔｓを含んでいるＳＴＲＥＡＭディレクトリとが含まれている。
【０００８】
ところで、デジタルスチルカメラを利用して図１と同一ファイル構造の下に獲得された数多くの静止画像は、カメラの記憶容量の限界から大容量の記録媒体に移される。すなわち、ＤＳＣで撮られた多数の静止画像は、大容量の記録媒体に記録することができるデジタルビデオレコーダによって、その記録媒体に保存されることになる。したがって、デジタルビデオレコーダは記録媒体に記録された数多くの静止画像を効果的に管理する必要性がある。
【０００９】
【発明が解決しようとする課題】
本発明は前記のような必要性により創作されたものであり、記録媒体に記録される静止画像をグルーピングするリストを作ってこのリストを通して静止画像を管理する方法を提供することが目的である。
【００１０】
【課題を解決するための手段】
前記のような目的を達成するための本発明による再記録可能記録媒体の静止画像管理方法は、静止画像を記録媒体に記録して、各静止画像の属性によって静止画像をグルーピングする１段階、及びそのグルーピングされたそれぞれのグループに属する静止画像のファイル名を含んでいるリストを生成して記録する２段階含むことを特徴とする。
【００１１】
また、本発明による再記録可能記録媒体の静止画像管理方法は、記録媒体に記録された静止画像の削除、またはグループ間移動に対する命令を受信する１段階、及び静止画像のファイル名を含んでいるファイル名リストから静止画像のファイル名を削除する２段階含むことを特徴とする。
【００１２】
【発明の実施の形態】
以下、本発明による再記録可能高密度記録媒体の静止画像管理方法に対する望ましい実施形態に対して、添付された図面を参照しながら詳細に説明する。
【００１３】
図３は、本発明実施形態による再記録可能記録媒体への静止画像管理方法が適用される光ディスク装置の構成を示したものである。
【００１４】
図３のディスク装置は、例えばデジタルビデオレコーダで有る。再記録可能記録媒体にビデオデータとオーディオデータ、および再生制御のための管理情報（Navigation Information）を記録する。
【００１５】
図３のディスク装置は、第１スイッチ１０、第２スイッチ１１、静止画像ビデオエンコーダ部１２、オーディオエンコーダ部１３、動画像ビデオエンコーダ部１４、オーディオエンコーダ部１５、ＭＰＥＧ２多重化装置１６、フォーマット構成部１７、ＤＶＲエンコーダ信号処理部１８が入力信号に対して構成されている。一方、出力信号のためには、第３スイッチ３０，第４スイッチ３１、静止画像ビデオデコーダ部３２、オーディオデコーダ部３３、動画像ビデオデコーダ部３４、オーディオデコーダ部３５、ＭＰＥＧ２多重分離装置３６、パーザ３７、ＤＶＲデコーダ信号処理部３８が構成されている。さらに、全体的なシステム制御のために制御部１９を備えている。
【００１６】
第１、第２スイッチ１０、１１は、外部から入力されるビデオデータとオーディオデータを、制御部１９のスイッチング制御により静止画像ビデオ及びオーディオエンコーダ部１２、１３に出力したり、または動画像ビデオ及びオーディオエンコーダ部１４、１５に出力する。
【００１７】
静止画像ビデオ及びオーディオエンコーダ部１２、１３は、デジタルスチルカメラと同じく、第１及び第２スイッチ１０、１１を通して出力されたビデオデータをＪＰＥＧ方式またはＴＩＦＦ方式のフォーマットで、オーディオデータをＰＣＭ方式、ｕ−Ｌａｗ  ＰＣＭ方式またはＩＭＡ−ＡＤＰＣＭ方式のフォーマットでエンコードする。
【００１８】
動画像ビデオ及びオーディオエンコーダ部１４、１５は、第１及び第２スイッチ１０、１１を通して出力されたビデオデータをＭＰＥＧ２方式のフォーマットで、オーディオデータをＡＣ−３方式、ＭＰＥＧ  １  Ｌａｙｅｒ  ２方式またはＬＰＣＭ方式のフォーマットでエンコードする。ＭＰＥＧ２多重化装置１６は、動画像ビデオ及びオーディオエンコーダ部１４、１５を通して各々エンコードされた動画像のビデオデータとオーディオデータをＭＰＥＧ２ストリームで多重化してフォーマット構成部１７に出力する。
【００１９】
ユーザは、動画像に対してもデジタルビデオレコーダが支援する静止画像記録モードを選択することができる。この場合には動画像ビデオ及びオーディオエンコーダ部１４、１５から出力されるＭＰＥＧ２画像データ及びＡＣ−３、ＭＰＥＧ  １  Ｌａｙｅｒ  ２またはＬＰＣＭ方式のオーディオデータは、静止画像フォーマットに適した形態で記録されるために、ＭＰＥＧ２多重化装置１６を経ないでただちにフォーマット構成部１７に印加される。
【００２０】
フォーマット構成部１７は、静止画像ビデオ及びオーディオエンコーダ部１２、１３によりエンコードされた静止画像のビデオデータとオーディオデータが入力された場合、その静止画像のビデオデータとオーディオデータを再記録可能高密度記録媒体に適した記録大きさに構成すると同時に、記録用ヘッダ情報を付加した後、ＤＶＲエンコーダ信号処理部１８に出力する。また、このフォーマット構成部１７はフォーマッティングされた静止画像のビデオデータとオーディオデータを探索及び再生制御するための管理情報を生成して、制御部１９に送る。
【００２１】
フォーマット構成部１７は、上述したように動画像データから構成した静止画像のビデオとオーディオに対しても、大きさを再構成し、かつ管理情報を生成する動作を同じように実施する。
【００２２】
動画像ビデオ及びオーディオエンコーダ部１４、１５によりエンコードされた動画像のビデオデータとオーディオデータおよびＭＰＥＧ２多重化装置１６により多重化されたＭＰＥＧ２ストリームが入力された場合、フォーマット構成部１７は、その動画像ビデオデータとオーディオデータ、またはＭＰＥＧ２ストリームを選択して再記録可能記録媒体に適した記録大きさに構成すると同時に、記録用ヘッダ情報を付加してＤＶＲエンコーダ信号処理部１８に出力する。また、そのフォーマッティングされた動画像のビデオデータとオーディオデータを探索及び再生制御するための管理情報を生成して、制御部１９に提供する。
【００２３】
ＤＶＲエンコーダ信号処理部１８は、フォーマット構成部１７でフォーマッティングされた静止画像または動画像のビデオデータとオーディオデータをエラー訂正コードＥＣＣブロックとして構成し、次に記録用信号に変換して再記録可能記録媒体に記録する。このとき、制御部１９は、ＤＶＲエンコーダ信号処理部１８を通して記録される静止画像ビデオデータとそれに関連したオーディオデータまたはサムネイルなどを、主題または属性等で区別して静止画像グループＳＰＧにグルーピングする管理情報を生成する。この管理情報は、各グループに属する静止画像ファイルのファイル名を格納したリストを含む。
【００２４】
そして、前記のように生成した管理情報を、図２に示したように、本発明で新しく定義されたＳＴＩＬＬＩＮＦディレクトリ内に静止画像情報ファイル*．ｓｔｌｉとして記録すると同時に、一般的なデジタルビデオレコーダにおけるナビゲーション情報領域内にグループ管理に関連した情報を記録する。
【００２５】
また、ビデオデータ及び／またはオーディオデータの記録途中または記録完了後に、制御部１９は、フォーマット構成部１７からの管理情報及び自身が生成した管理情報をＤＶＲエンコーダ信号処理部１８を通して再記録可能記録媒体に記録する。
【００２６】
以下では、前記のようなデータ記録作動とその後に実施される静止画像管理方法に対して詳細に説明する。
【００２７】
図４ないし８は、本発明による静止画像の記録やグルーピング過程と、それによって記録されるグループ管理情報を示したものである。制御部１９は、再記録可能高密度記録媒体に記録される静止画像と、その静止画像に関連したオーディオまたはサムネイルなどを、図４に示したように、デジタルスチルカメラ（ＤＳＣ）におけるＤＣＦファイル構造で記録する。このとき同一の属性を有する静止画像と、それに関連したオーディオ及びサムネイル等は一つのグループとして指定される。このとき指定されたグループに対するファイル名リストを生成する。フィル名リストには、静止画像の他にそれと同じファイル名を有するオーディオデータファイルなどがある場合にも一つのファイル名を載せるだけでよい。ファイル名とディレクトリ名はＤＣＦルールによって定めてもよく、また、ユーザが任意に指定することもできる。ユーザが任意に定める場合にもＤＣＦオブジェクトルールは遵守される。
【００２８】
図４の記録例に対して説明する。‘１００ＦＡＭＩＬ’ディレクトリには、‘ＭＡＭＡ０００１．ＪＰＧ’のファイル名を有する静止画像ファイルと、‘ＭＡＭＡ０００２．ＪＰＧ’のファイル名を有する静止画像ファイルと、それと関連した‘ＭＡＭＡ０００２．ＷＡＶ’のファイル名を有するリアルタイム記録オーディオファイル、そして‘ＭＡＭＡ０００２．ＤＵＢ’のファイル名を有するダビングオーディオファイルが記録されている。ＤＣＦオブジェクトルールによって、同一ファイル名のファイルは一つのＤＣＦオブジェクトになるので、‘ＭＡＭＡ０００１．ＪＰＧ’は第１ＤＣＦオブジェクトになり、‘ＭＡＭＡ０００２．ＪＰＧ’、‘ＭＡＭＡ０００２．ＷＡＶ’、‘ＭＡＭＡ０００２．ＤＵＢ’ファイルは第２ＤＣＦオブジェクトになる。
【００２９】
また、‘ＳＩＳＴ０００４．ＪＰＧ’及び‘ＳＩＳＴ０００４．ＤＵＢ’は第４オブジェクトを構成する。一つの静止画像グループに対してファイル名リストが生成されるので、同一グループに属するファイルが共通された文字列を含む必要はない。
【００３０】
したがって、静止画像グループの識別番号（ＩＤ）はグループに属するファイルのファイル名と関係ない一連番号、例えば、４ケタ数字を用いる。
【００３１】
図４の記録例で、最初の静止画像グループは‘０００１’を、２番目の静止画像グループは‘０００２’をグループ識別番号として用いている。このグループ識別番号は前で生成したファイル名リストをそれぞれ特定する。
【００３２】
前記のようにＤＣＦファイル構造で記録された静止画像グループＳＰＧに対するファイル名リストとグルーピング属性情報は、図５に示したように、ＳＴＩＬＬＩＮＦディレクトリの下の静止画像情報ファイル*．ｓｔｌｉ内に記録しておく。
【００３３】
そして、ファイル名リストに記録されるファイル名は、ＤＣＦオブジェクト（静止画像、連関されたオーディオファイルなどの集合）を識別するファイル名である。もちろん、ＤＣＦオブジェクトが一つの静止画像で構成されていればファイル名リストに記録されるものは静止画像ファイルになる。ファイル名の代わりにそのファイルを特定するファイル番号を記録してもよい。
【００３４】
データファイルの再生順序を決める再生リストファイル*．ｒｐｌｓ、*．ｖｐｌｓはプレーアイテム（PlayItem）を含む。各プレーアイテムはそれぞれに記録されたグループ識別番号によって静止画像グループと各々連結される。各プレーアイテムは、グループ識別番号以外にも静止画像情報ファイル名（ＳＴＬＩ ｆｉｌｅ ｎａｍｅ）と、プレーアイテム開始ピクチャファイル番号（またはファイル名）と、プレーアイテム終了ピクチャファイル番号（またはファイル名）に対する情報を含むことができる。
【００３５】
静止画像情報ファイル*．ｓｔｌｉは、図６と同一の情報構造を有し、静止画像情報の一般情報Ｓｔｉｌｌｉｎｆｏ＿ＧＩと、複数の静止画像グループ情報サーチポインタＳＰＧＩ＿ＳＲＰ  ＃１、＃２、＃３．．、そして静止画像グループ情報ＳＰＧＩ  ＃１、＃２．．を含む。静止画像情報の一般情報には、静止画像の類型情報(type of Still pictures)と、記録時間情報(recording time)、そしてＳＰＧＩ個数情報(Number of SPGIs)を含む。
【００３６】
静止画像グループ情報サーチポインタにより連係指示される静止画像グループ情報ＳＰＧＩは、静止画像グループ情報の一般情報ＳＰＧＩ＿ＧＩと属性テーブルと、そして前で言及したファイル名リスト（File Name List）を含む。属性テーブルには静止画像属性、オーディオ属性、メーカー属性、時間属性、サムネイル属性、ダビングオーディオ属性、そしてその他属性が記録される。
【００３７】
画像属性（picture_attribute）には、静止画像のコーディング方式（ＪＰＥＧ、ＴＩＦＦ、ＭＰＥＧ．．）、アスペクト比（４：３、１６：９）、ＹＣｒＣｂサンプリング比率（４：２：２、４：２：０）、解像度（１９２０×１０８０−ＨＤ−ＴＶ、１２８０×９６０−ＳＸＧＡ、１０２４×７６８−ＸＧＳ．．）などが含まれる。オーディオ属性(audio_attribute)には、オーディオのコーディング方式（ＰＣＭ、ＩＭＡ−ＡＤＰＣＭ、ＡＣ−３、ＭＰＥＧ１−Ｌ２）、サンプリング比率（８ｋＨｚ、１１．０２５ｋＨｚ、４８ｋＨｚ、９６ｋＨｚ、．．）、オーディオチャネル数（number of Channels）、量子化（quantization）情報などを含む。
【００３８】
そして、メーカー属性（Maker_Attribute）には、製作者識別情報（Maker_ID）と、製品モデル名そしてレコーディングソースなどを含み、時間属性には、元の生成時間（original_creation_time）情報などを含む。またサムネイル属性には、静止画像の属性情報とほとんど同じ情報が記録され、ダビングオーディオ属性情報には、オーディオの属性情報とほとんど同じ情報が記録され、その他属性情報（other_attribute）には、ＤＣＦフォーマットまたはＥＸＩＦフォーマットで定義された主要属性情報が記録される。
【００３９】
静止画像グループ情報の一般情報ＳＰＧＩ＿ＧＩには、そのグループの静止画像が記録されているディレクトリ名、静止画像グループ識別番号ＳＰＧ＿ＩＤ、そしてピクチャの個数を含む。
【００４０】
したがって、前記のように記録された静止画像グループに関連した情報を利用して、制御部１９は、再生リストに含まれた複数のプレーアイテム中の一つのプレーアイテムが選定されると、それに記録された静止画像グループ識別番号ＳＰＧ＿ＩＤにより連結される静止画像グループを静止画像情報ファイル*．ｓｔｌｉから検索確認し、その確認された静止画像グループ情報ＳＰＧＩ  ＃ｉ内のファイル名リストに記録されたファイル名の順序とおりに静止画像（またはＤＣＦオブジェクト）を探して再生することができる。
【００４１】
ファイル名リストに記録されたファイル名によるデータファイルの探索は、装置が採択しているファイルシステムによってなされる。
【００４２】
もしも、ユーザが特定グループの静止画像の再生順序を異なるように指定すれば、制御部１９は、図７に示したように、そのグループのファイル名リスト上でファイル名の記録順序を変更する。
【００４３】
また、ファイル削除が要請される場合には、制御部１９はデータファイルを削除せずにファイル名リストのファイル名を削除する。このようにファイル名リストからファイル名が削除されたデータファイルは静止画像グループの再生のとき再生されない。
【００４４】
図８は、第１静止画像グループに対して、ＤＣＦオブジェクト‘ＰＡＰＡ０００５’と‘ＭＡＭＡ０００３’の再生順序が変更され、かつ、ＤＣＦオブジェクト‘ＭＡＭＡ０００２’を再生目録から削除した例を示す。
【００４５】
そして、ユーザが特定の静止画像（またはＤＣＦオブジェクト）を他のグループに移したり複写しようとするときは、例えば移動の場合、前のグループのファイル名リストから前述したようにしてそのファイル名を削除して、移動されたまたは複写されたファイル名を指定された再生順序に合うように対象グループのファイル名リストに新しく挿入する。図８の例は、ＤＣＦオブジェクト‘ＢＡＢＹ１０９５’が新しく第２静止画像グループに追加されており、その再生順序は‘ＢＡＢＹ０９９９’ファイルの次であることを示している。
【００４６】
ユーザの順序変更または削除などの編集のために、静止画像グループ情報内の元のファイル名リストの他にユーザが決めたファイル名リストを生成し、ユーザの編集要請によってユーザが決めたファイル名リストのファイル名を移したり削除することもできる。
【００４７】
本発明による静止画像管理方法は、図３のように構成される光ディスク装置だけでなく、他の構成手段で構成される光ディスク装置で実現することもできる。
【００４８】
以上、前述した本発明の望ましい実施形態は、例示の目的のために開示されたものであって、当業者ならば添付された特許請求範囲に開示された本発明の技術的思想とその技術的範囲内で、実施形態を改良、変更、代替または付加などが可能である。
【００４９】
【発明の効果】
以上詳細に説明したように、本発明による再記録可能高密度記録媒体の静止画像管理方法は、記録された数多くの静止画像の移動、複写、削除などの作動が簡単になされるようにする利点がある。
【図面の簡単な説明】
【図１】デジタルスチルカメラが採択しているファイル構造を例示的に示したものであって、
【図２】デジタルビデオレコーダが採択しているＤＶＲディレクトリ及びファイルシステム構造を例示的に示したものであって、
【図３】本発明による再記録可能記録媒体の静止画像管理方法が適用される光ディスク装置に対する構成を示したものであって、
【図４】本発明による静止画像記録／グルーピング過程と、それによって記録されるグループ管理情報を示したものである。
【図５】本発明による静止画像記録／グルーピング過程と、それによって記録されるグループ管理情報を示したものである。
【図６】本発明による静止画像記録／グルーピング過程と、それによって記録されるグループ管理情報を示したものである。
【図７】本発明による静止画像記録／グルーピング過程と、それによって記録されるグループ管理情報を示したものである。
【図８】本発明による静止画像記録／グルーピング過程と、それによって記録されるグループ管理情報を示したものである。
【符号の説明】
１０，１１、３０，３１：スイッチ、１２：静止画像ビデオエンコーダ、１３：静止画像オーディオエンコーダ、１４：動画像ビデオエンコーダ、１５：動画像オーディオエンコーダ、１６：マルチプレクサ、１７：フォーマット構成部、１８：ＤＶＲエンコーダ信号処理部、１９：制御部、３２：静止画像ビデオデコーダ、３３：静止画像オーディオデコーダ、３４：動画像ビデオデコーダ、３５：動画像オーディオデコーダ、３６：マルチプレクサ、３７：パーサ、３８：ＤＶＤデコーダ信号処理部。
【図１】
0004358529.tif 000002
【図２】
0004358529.tif 000003
【図３】
0004358529.tif 000004
【図４】
0004358529.tif 000005
【図５】
0004358529.tif 000006
【図６】
0004358529.tif 000007
【図７】
0004358529.tif 000008
【図８】
0004358529.tif 000009